(57)【要約】【課題】基地局が周波数チャネルを変更しても、基地局に簡単に接続できる通信システム、移動端末、移動端末の通信接続方法、移動端末の接続プログラム、サーバプログラムを提供する。【解決手段】移動端末１００は、接続可能な第１の基地局ＢＳ１に対して接続を行い、移動端末１００の識別情報を接続した第１の基地局ＢＳ１を介してサーバ２００へ送る第１の接続を行う第１の接続手段１０１を備え、サーバ２００は、移動端末１００が第１の接続により送信してきた移動端末１００の識別情報を用いて移動端末１００に対する接続優先順位リストを生成するリスト生成手段２０１と、リスト生成手段２０１が生成した接続優先順位リストを第１の接続を行っている移動端末１００に対して送信するリスト送信手段２０２とを備える。【選択図】図３
2011151697.tif 000002
【特許請求の範囲】
【請求項１】
複数の基地局と、前記基地局を管理するサーバと、前記基地局と通信接続可能な移動端末とを含む通信システムであって、
前記移動端末は、接続可能な基地局に対して接続を行い、前記移動端末の識別情報を接続した基地局を介して前記サーバへ送る第１の接続を行う第１の接続手段を備え、
前記サーバは、
前記移動端末が前記第１の接続により送信してきた前記移動端末の識別情報を用いて、前記移動端末が使用可能な前記基地局のリストであって前記基地局が使用する周波数チャネルに関する情報を含む基地局リストを生成するリスト生成手段と、
前記リスト生成手段が生成した前記基地局リストを前記第１の接続を行っている前記移動端末に対して送信するリスト送信手段と、
を備えること、
を特徴とする通信システム。
【請求項２】
請求項１に記載の通信システムにおいて、
前記移動端末の第１の接続手段は、前記第１の接続により前記サーバから前記基地局リストを受信した後に前記第１の接続を終了し、
前記移動端末は、前記基地局リストに含まれる基地局の中から選択した基地局に対して接続する第２の接続を行う第２の接続手段を備えること、
を特徴とする通信システム。
【請求項３】
請求項２に記載の通信システムにおいて、
前記基地局リストには、接続可能な基地局の優先順位に関する情報が含まれていること、
を特徴とする通信システム。
【請求項４】
請求項３に記載の通信システムにおいて、
前記移動端末の前記第２の接続手段は、前記基地局リストの優先順位が高い基地局を優先して前記第２の接続を行うこと、
を特徴とする通信システム。
【請求項５】
請求項２又は請求項３に記載の通信システムにおいて、
前記移動端末の前記第２の接続手段は、前記基地局リストに含まれる基地局を利用者に対して選択可能に提示し、利用者により選択された基地局に対して前記第２の接続を行うこと、
を特徴とする通信システム。
【請求項６】
請求項１から請求項５までのいずれか１項に記載の通信システムにおいて、
前記基地局は、周波数チャネルを変更したときには、変更後の周波数チャネルを前記サーバへ通知する周波数チャネル通知手段を備えること、
を特徴とする通信システム。
【請求項７】
複数の基地局と、前記基地局を管理するサーバと、前記基地局と通信接続可能な移動端末とを含む通信システムに用いられる移動端末であって、
接続可能な基地局に対して接続を行い、前記移動端末の識別情報を接続した基地局を介して前記サーバへ送る第１の接続を行い、前記サーバから使用可能な前記基地局のリストであって前記基地局が使用する周波数チャネルに関する情報を含む基地局リストを受信した後に接続を終了する第１の接続手段と、
前記基地局リストに含まれる基地局から選択した基地局に対して接続する第２の接続を行う第２の接続手段と、
を備えることを特徴とする移動端末。
【請求項８】
複数の基地局と、前記基地局を管理するサーバと、前記基地局と通信接続可能な移動端末とを含む通信システムに用いられるサーバであって、
前記移動端末が送信してきた前記移動端末の識別情報を用いて、前記移動端末が使用可能な前記基地局のリストであって前記基地局が使用する周波数チャネルに関する情報を含む基地局リストを生成するリスト生成手段と、
前記リスト生成手段が生成した前記基地局リストを前記移動端末に対して送信するリスト送信手段と、
を備えること、
を特徴とするサーバ。
【請求項９】
複数の基地局と、前記基地局を管理するサーバと、前記基地局と通信接続可能な移動端末とを含む通信システムの通信接続方法であって、
前記移動端末は、接続可能な基地局に対して接続を行い、前記移動端末の識別情報を接続した基地局を介して前記サーバへ送る第１の接続を行い、
前記サーバは、
前記移動端末が前記第１の接続により送信してきた前記移動端末の識別情報を用いて、前記移動端末が使用可能な前記基地局のリストであって前記基地局が使用する周波数チャネルに関する情報を含む基地局リストを生成し、
生成した前記基地局リストを前記第１の接続を行っている前記移動端末に対して送信すること、
を特徴とする通信接続方法。
【請求項１０】
複数の基地局と、前記基地局を管理するサーバと、前記基地局と通信接続可能な移動端末とを含む通信システムに用いられる移動端末の移動端末プログラムであって、
前記移動端末のコンピュータを、
接続可能な基地局に対して接続を行い、前記移動端末の識別情報を接続した基地局を介して前記サーバへ送る第１の接続を行い、前記サーバから使用可能な前記基地局のリストであって前記基地局が使用する周波数チャネルに関する情報を含む基地局リストを受信した後に接続を終了する第１の接続手段と、
前記基地局リストに含まれる基地局から選択した基地局に対して接続する第２の接続を行う第２の接続手段として機能させるための移動端末プログラム。
【請求項１１】
複数の基地局と、前記基地局を管理するサーバと、前記基地局と通信接続可能な移動端末とを含む通信システムに用いられるサーバのサーバプログラムであって、
サーバのコンピュータを、
前記移動端末が送信してきた前記移動端末の識別情報を用いて、前記移動端末が使用可能な前記基地局のリストであって前記基地局が使用する周波数チャネルに関する情報を含む基地局リストを生成するリスト生成手段と、
前記リスト生成手段が生成した前記基地局リストを前記移動端末に対して送信するリスト送信手段として機能させるためのサーバプログラム。
【発明の詳細な説明】
【技術分野】
【０００１】
本発明は、高速移動体通信等の通信システム、移動端末、サーバ、通信接続方法、移動端末プログラム、サーバプログラムに関するものである。
【背景技術】
【０００２】
移動体通信では、移動体のある場所によっては、例えば、広範囲の通信エリアを持つマクロ基地局や、比較的狭い通信エリアを持つフェムト基地局等の小型基地局等、複数の基地局との間で通信接続可能な場合がある。
【０００３】
従来、複数の基地局との間で通信可能な状況において、例えば、フェムト基地局を利用した方が、通信環境が改善されるような状況であるにも関わらず、マクロ基地局と通信接続を行ってしまう場合があった。
【０００４】
また、特許文献１には、事前に接続する基地局の優先順位と、各基地局の周波数チャネルを登録しておき、優先順位の高い順に接続する基地局を選択する方法が開示されている。
【先行技術文献】
【特許文献】
【０００５】
【特許文献１】特開平８−３１７４６４号公報
【発明の概要】
【発明が解決しようとする課題】
【０００６】
しかし、特許文献１の方法では、各基地局の周波数チャネルを登録する作業が発生し、登録作業に手間が掛かるという問題があった。
また、基地局側が周波数チャネルを変更した場合には、登録内容を修正しないと、その基地局に接続できないという問題があった。
さらにまた、複数の基地局が同一の周波数の電波を送受信している場合には、登録していない基地局に接続してしまう可能性があるという問題があった。
【０００７】
本発明の課題は、基地局が周波数チャネルを変更しても、基地局に簡単に接続できる通信システム、移動端末、移動端末の通信接続方法、移動端末の接続プログラム、サーバプログラムを提供することである。
【課題を解決するための手段】
【０００８】
本発明は、上記の課題を解決するために、以下の事項を提案している。なお、理解を容易にするために、本発明の実施形態に対応する符号を付して説明するが、これに限定されるものではない。
【０００９】
（１）本発明は、複数の基地局（ＢＳ１，ＢＳ２，ＢＳ３，ＢＳ４，ＢＳ５）と、前記基地局を管理するサーバ（２００）と、前記基地局と通信接続可能な移動端末（１００）とを含む通信システムであって、前記移動端末は、接続可能な基地局（ＢＳ１，ＢＳ３）に対して接続を行い、前記移動端末の識別情報を接続した基地局（ＢＳ１）を介して前記サーバへ送る第１の接続を行う第１の接続手段（１０１）を備え、前記サーバは、前記移動端末が前記第１の接続により送信してきた前記移動端末の識別情報を用いて、前記移動端末が使用可能な前記基地局（ＢＳ１，ＢＳ２，ＢＳ３）のリストであって前記基地局が使用する周波数チャネルに関する情報を含む基地局リストを生成するリスト生成手段（２０１）と、前記リスト生成手段が生成した前記基地局リストを前記第１の接続を行っている前記移動端末に対して送信するリスト送信手段（２０２）と、を備えること、を特徴とする通信システムを提案している。
【００１０】
この発明によれば、第１の接続手段は、移動端末の識別情報を接続した基地局を介してサーバへ送る第１の接続を行う。リスト生成手段は、移動端末が第１の接続により送信してきた移動端末の識別情報を用いて、移動端末が使用可能な基地局のリストであって基地局が使用する周波数チャネルに関する情報を含む基地局リストを生成する。リスト送信手段は、リスト生成手段が生成した基地局リストを第１の接続を行っている移動端末に対して送信する。したがって、利用可能な基地局と、その基地局が使用する周波数チャネルを移動端末側で簡単に把握でき、基地局が周波数チャネルを変更しても、基地局に簡単に接続できる。
【００１１】
（２）本発明は、（１）に記載の通信システムにおいて、前記移動端末（１００）の第１の接続手段（１０１）は、前記第１の接続により前記サーバ（２００）から前記基地局リストを受信した後に前記第１の接続を終了し、前記移動端末は、前記基地局リストに含まれる基地局（ＢＳ１，ＢＳ２，ＢＳ３，ＢＳ４，ＢＳ５）の中から選択した基地局（ＢＳ３）に対して接続する第２の接続を行う第２の接続手段（１０２）を備えること、を特徴とする通信システムを提案している。
【００１２】
この発明によれば、第１の接続手段は、第１の接続によりサーバから基地局リストを受信した後に第１の接続を終了する。第２の接続手段は、基地局リストに含まれる基地局の中から選択した基地局に対して接続する第２の接続を行う。したがって、基地局に簡単に接続できる。
【００１３】
（３）本発明は、（２）に記載の通信システムにおいて、前記基地局リストには、接続可能な基地局（ＢＳ１，ＢＳ２，ＢＳ３）の優先順位に関する情報が含まれていること、を特徴とする通信システムを提案している。
【００１４】
この発明によれば、基地局リストには、接続可能な基地局の優先順位に関する情報が含まれている。したがって、どの基地局に接続すべきであるのかを移動端末側で簡単に把握できる。
【００１５】
（４）本発明は、（３）に記載の通信システムにおいて、前記移動端末（１００）の前記第２の接続手段（１０２）は、前記基地局リストの優先順位が高い基地局（ＢＳ３）を優先して前記第２の接続を行うこと、を特徴とする通信システムを提案している。
【００１６】
この発明によれば、第２の接続手段は、基地局リストの優先順位が高い基地局を優先して第２の接続を行う。したがって、簡単に通信条件のよい接続を行うことができる。
【００１７】
（５）本発明は、（２）又は（３）に記載の通信システムにおいて、前記移動端末（１００）の前記第２の接続手段（１０２）は、前記基地局リストに含まれる基地局（ＢＳ１，ＢＳ２，ＢＳ３）を利用者に対して選択可能に提示し、利用者により選択された基地局（ＢＳ３）に対して前記第２の接続を行うこと、を特徴とする通信システムを提案している。
【００１８】
この発明によれば、第２の接続手段は、基地局リストに含まれる基地局を利用者に対して選択可能に提示し、利用者により選択された基地局に対して第２の接続を行う。したがって、利用者が望む基地局に簡単に接続できる。
【００１９】
（６）本発明は、（１）から（５）までのいずれかに記載の通信システムにおいて、前記基地局（ＢＳ１，ＢＳ２，ＢＳ３，ＢＳ４，ＢＳ５）は、周波数チャネルを変更したときには、変更後の周波数チャネルを前記サーバ（２００）へ通知する周波数チャネル通知手段（ＢＳ１ａ，ＢＳ２ａ，ＢＳ３ａ，ＢＳ４ａ，ＢＳ５ａ）を備えること、を特徴とする通信システムを提案している。
【００２０】
この発明によれば、周波数チャネル通知手段は、周波数チャネルを変更したときには、変更後の周波数チャネルをサーバへ通知する。したがって、サーバは、基地局が使用する周波数チャネルに関する最新の情報を所有でき、リスト生成手段は、正しい周波数チャネルに関する情報を含む基地局リストを生成できる。よって、頻繁に基地局が周波数チャネルを変更しても、接続を容易に行える。
【００２１】
（７）本発明は、複数の基地局（ＢＳ１，ＢＳ２，ＢＳ３，ＢＳ４，ＢＳ５）と、前記基地局を管理するサーバ（２００）と、前記基地局（ＢＳ１，ＢＳ２，ＢＳ３，ＢＳ４，ＢＳ５）と通信接続可能な移動端末（１００）とを含む通信システムに用いられる移動端末であって、接続可能な基地局（ＢＳ１，ＢＳ３）に対して接続を行い、前記移動端末の識別情報を接続した基地局（ＢＳ１）を介して前記サーバへ送る第１の接続を行い、前記サーバから使用可能な前記基地局（ＢＳ１，ＢＳ２，ＢＳ３）のリストであって前記基地局が使用する周波数チャネルに関する情報を含む基地局リストを受信した後に接続を終了する第１の接続手段（１００）と、前記基地局リストに含まれる基地局（ＢＳ１，ＢＳ２，ＢＳ３）から選択した基地局（ＢＳ３）に対して接続する第２の接続を行う第２の接続手段（１０２）と、を備えることを特徴とする移動端末を提案している。
【００２２】
この発明によれば、第１の接続手段は、接続可能な基地局に対して接続を行い、移動端末の識別情報を接続した基地局を介してサーバへ送る第１の接続を行い、サーバから使用可能な基地局のリストであって基地局が使用する周波数チャネルに関する情報を含む基地局リストを受信した後に接続を終了する。第２の接続手段は、基地局リストに含まれる基地局から選択した基地局に対して接続する第２の接続を行う。したがって、利用可能な基地局と、その基地局が使用する周波数チャネルを移動端末側で簡単に把握でき、基地局が周波数チャネルを変更しても、基地局に簡単に接続できる。
【００２３】
（８）本発明は、複数の基地局（ＢＳ１，ＢＳ２，ＢＳ３，ＢＳ４，ＢＳ５）と、前記基地局を管理するサーバ（２００）と、前記基地局と通信接続可能な移動端末（１００）とを含む通信システムに用いられるサーバであって、前記移動端末が送信してきた前記移動端末の識別情報を用いて、前記移動端末が使用可能な前記基地局（ＢＳ１，ＢＳ２，ＢＳ３）のリストであって前記基地局が使用する周波数チャネルに関する情報を含む基地局リストを生成するリスト生成手段（２０１）と、前記リスト生成手段が生成した前記基地局リストを前記移動端末に対して送信するリスト送信手段（２０２）と、を備えることを特徴とするサーバを提案している。
【００２４】
この発明によれば、リスト生成手段は、移動端末が送信してきた移動端末の識別情報を用いて、移動端末が使用可能な基地局のリストであって基地局が使用する周波数チャネルに関する情報を含む基地局リストを生成する。リスト送信手段は、リスト生成手段が生成した基地局リストを移動端末に対して送信する。したがって、利用可能な基地局と、その基地局が使用する周波数チャネルを移動端末側に簡単に伝えることができ、移動端末は、基地局が周波数チャネルを変更しても、基地局に簡単に接続できる。
【００２５】
（９）本発明は、複数の基地局（ＢＳ１，ＢＳ２，ＢＳ３，ＢＳ４，ＢＳ５）と、前記基地局を管理するサーバ（２００）と、前記基地局と通信接続可能な移動端末（１００）とを含む通信システムの通信接続方法であって、前記移動端末は、接続可能な基地局（ＢＳ１，ＢＳ３）に対して接続を行い、前記移動端末の識別情報を接続した基地局（ＢＳ１）を介して前記サーバへ送る第１の接続を行い、前記サーバは、前記移動端末が前記第１の接続により送信してきた前記移動端末の識別情報を用いて、前記移動端末が使用可能な前記基地局のリストであって前記基地局が使用する周波数チャネルに関する情報を含む基地局リストを生成し、生成した前記基地局リストを前記第１の接続を行っている前記移動端末に対して送信すること、を特徴とする通信接続方法を提案している。
【００２６】
この発明によれば、通信接続方法は、接続可能な基地局に対して接続を行い、移動端末の識別情報を接続した基地局を介してサーバへ送る第１の接続を行い、移動端末が第１の接続により送信してきた移動端末の識別情報を用いて、移動端末が使用可能な基地局のリストであって基地局が使用する周波数チャネルに関する情報を含む基地局リストを生成し、生成した基地局リストを第１の接続を行っている移動端末に対して送信する。したがって、利用可能な基地局と、その基地局が使用する周波数チャネルを移動端末側で簡単に把握でき、基地局が周波数チャネルを変更しても、基地局に簡単に接続できる。
【００２７】
（１０）本発明は、複数の基地局（ＢＳ１，ＢＳ２，ＢＳ３，ＢＳ４，ＢＳ５）と、前記基地局を管理するサーバ（２００）と、前記基地局と通信接続可能な移動端末（１００）とを含む通信システムに用いられる移動端末の移動端末プログラムであって、前記移動端末のコンピュータを、接続可能な基地局（ＢＳ１，ＢＳ３）に対して接続を行い、前記移動端末の識別情報を接続した基地局（ＢＳ１）を介して前記サーバへ送る第１の接続を行い、前記サーバから使用可能な前記基地局のリストであって前記基地局が使用する周波数チャネルに関する情報を含む基地局リストを受信した後に接続を終了する第１の接続手段（１０１）と、前記基地局リストに含まれる基地局から選択した基地局（ＢＳ３）に対して接続する第２の接続を行う第２の接続手段（１０２）として機能させるための移動端末プログラムを提案している。
【００２８】
この発明によれば、移動端末プログラムは、移動端末のコンピュータを、接続可能な基地局に対して接続を行い、移動端末の識別情報を接続した基地局を介してサーバへ送る第１の接続を行い、サーバから使用可能な基地局のリストであって基地局が使用する周波数チャネルに関する情報を含む基地局リストを受信した後に接続を終了する第１の接続手段と、基地局リストに含まれる基地局から選択した基地局に対して接続する第２の接続を行う第２の接続手段として機能させる。したがって、利用可能な基地局と、その基地局が使用する周波数チャネルを移動端末側で簡単に把握でき、基地局が周波数チャネルを変更しても、基地局に簡単に接続できる。
【００２９】
（１１）本発明は、複数の基地局（ＢＳ１，ＢＳ２，ＢＳ３，ＢＳ４，ＢＳ５）と、前記基地局を管理するサーバ（２００）と、前記基地局と通信接続可能な移動端末（１００）とを含む通信システムに用いられるサーバのサーバプログラムであって、サーバのコンピュータを、前記移動端末が送信してきた前記移動端末の識別情報を用いて、前記移動端末が使用可能な前記基地局（ＢＳ１，ＢＳ２，ＢＳ３）のリストであって前記基地局が使用する周波数チャネルに関する情報を含む基地局リストを生成するリスト生成手段（２０１）と、前記リスト生成手段が生成した前記基地局リストを前記移動端末に対して送信するリスト送信手段（２０２）として機能させるためのサーバプログラムを提案している。
【００３０】
この発明によれば、サーバプログラムは、サーバのコンピュータを、移動端末が送信してきた移動端末の識別情報を用いて、移動端末が使用可能な基地局のリストであって基地局が使用する周波数チャネルに関する情報を含む基地局リストを生成するリスト生成手段と、リスト生成手段が生成した基地局リストを移動端末に対して送信するリスト送信手段として機能させる。したがって、利用可能な基地局と、その基地局が使用する周波数チャネルを移動端末側に簡単に伝えることができ、移動端末は、基地局が周波数チャネルを変更しても、基地局に簡単に接続できる。
【発明の効果】
【００３１】
本発明によれば、基地局が周波数チャネルを変更しても、基地局に簡単に接続できるという効果がある。
【図面の簡単な説明】
【００３２】
【図１】本発明による移動端末の通信接続方法を用いた通信システムの第１実施形態を示す図である。
【図２】第１実施形態の通信システムの構成を示すブロック図である。
【図３】第１実施形態の通信システムの動作を示すフローチャートである。
【図４】接続優先順位リストの一例を示す図である。
【図５】図１に示した状態において、接続優先順位リストと各基地局からの受信電力との関係の一例を示す図である。
【図６】第２実施形態の通信システムの動作を示すフローチャートである。
【図７】基地局リストの一例を示す図である。
【図８】第２実施形態において、各基地局からの受信電力の一例を示す図である。
【発明を実施するための形態】
【００３３】
以下、図面を用いて、本発明の実施形態について詳細に説明する。
なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００３４】
（第１実施形態）
図１は、本発明による移動端末の通信接続方法を用いた通信システムの第１実施形態を示す図である。
第１実施形態の通信システムでは、移動端末１００と、複数の基地局（ＢＳ１，ＢＳ２，ＢＳ３，ＢＳ４，ＢＳ５）と、サーバ２００とを備えている。
【００３５】
移動端末１００は、例えば、パーソナルコンピュータ等の無線通信可能な機器である。なお、移動端末１００は、パーソナルコンピュータに限らず、携帯型ゲーム機や携帯型音楽再生機、携帯電話端末等であっても、本通信システムにおいて通信可能なモジュールを内蔵、又は、接続可能な機器であれば、どのような機器であってよい。
【００３６】
基地局（ＢＳ１からＢＳ５）は、本通信システムにおいて通信に使用する電波を送受信する基地局である。図１には、一例として、第１の基地局ＢＳ１と、第２の基地局ＢＳ２と、第３の基地局ＢＳ３と、第４の基地局ＢＳ４と、第５の基地局ＢＳ５とを示している。この内、第１の基地局ＢＳ１と、第２の基地局ＢＳ２と、第４の基地局ＢＳ４とは、いずれも通信エリアの広いマクロ基地局である。一方、第３の基地局ＢＳ３と、第５の基地局ＢＳ５とは、通信エリアが狭いフェムト基地局やピコ基地局、アクセスポイント等と呼ばれ、家屋内等における通信条件の改善を主な目的として配置される小型の中継基地局である。なお、基地局の数や種類は、一例を示したものであり、これに限るものではない。
【００３７】
サーバ２００は、第１の基地局ＢＳ１と、第２の基地局ＢＳ２と、第４の基地局ＢＳ４とに有線接続されており、通信システムの各基地局と、各移動端末とを統括して管理する管理サーバである。
【００３８】
図２は、第１実施形態の通信システムの構成を示すブロック図である。
第１の基地局ＢＳ１から第５の基地局ＢＳ５は、それぞれ、周波数チャネル通知手段ＢＳ１ａからＢＳ５ａを備えている。周波数チャネル通知手段ＢＳ１ａからＢＳ５ａは、それぞれ、第１の基地局ＢＳ１から第５の基地局ＢＳ５が使用する周波数チャネルを変更したときに、変更後の周波数チャネルをサーバ２００へ通知する。なお、基地局が使用する周波数チャネルの変更は、各基地局側が主体となって行われる場合と、サーバ２００からの指示によって行われる場合がある。サーバ２００からの指示によって基地局が使用する周波数チャネルの変更が行われる場合には、周波数チャネル通知手段ＢＳ１ａからＢＳ５ａは、変更後の周波数チャネルをサーバ２００へ通知しなくてもよい。
【００３９】
移動端末１００は、第１の接続手段１０１と、第２の接続手段１０２とを備えている。また、サーバ２００は、リスト生成手段２０１と、リスト送信手段２０２とを備えている。なお、移動端末１００には、図示しないが、その他に、表示部や入力操作部等を備えている。
【００４０】
第１の接続手段１０１は、通信接続を開始するときに、予備的な通信接続として、第１の接続を行う。この第１の接続では、第１の接続手段１０１は、接続可能な状態にある基地局が存在していれば、各種通信条件等の検証等を行うことなく、その接続可能な基地局に対して接続を行う。そして、第１の接続手段１０１は、移動端末１００の識別情報（例えば、ＭＡＣアドレス）を第１の接続で接続している基地局を介してサーバ２００へ送る。また、第１の接続手段１０１は、第１の接続によりサーバ２００から後述する接続優先順位リストを受信した後に、第１の接続を終了する。
【００４１】
第２の接続手段１０２は、サーバ２００から受信した接続優先順位リストに含まれる基地局の中から選択した基地局に対して接続する第２の接続を行う。第１実施形態の第２の接続手段１０２では、接続優先順位リストの優先順位が高い基地局を優先して第２の接続を行う基地局を選択して、第２の接続を実行する。
【００４２】
リスト生成手段２０１は、移動端末１００が第１の接続により送信してきた移動端末１００の識別情報（ＭＡＣアドレス）と、移動端末１００が第１の接続を行っている基地局を識別する基地局識別情報とを用いて、移動端末１００に対する接続優先順位リストを生成する。接続優先順位リストとは、移動端末１００が現在ある位置において、接続に適していると判断される基地局を、優先順位を付けて示した基地局リストである（後述の図４参照）。この接続優先順位リストには、優先順位の他に、リストに含まれる基地局がその時点で使用している周波数チャネルの番号も併せて含まれている。
【００４３】
リスト生成手段２０１は、移動端末１００の識別情報から、移動端末１００の所有者等を判別する。また、リスト生成手段２０１は、移動端末１００が第１の接続を行っている基地局を識別する基地局識別情報から、移動端末１００が存在している位置を、大まかな範囲として把握する。そして、移動端末１００の位置から、その位置で利用可能な基地局を選び、さらに、その中から、移動端末１００が契約上で利用可能な基地局を選び、接続優先順位リストに含める基地局を決める。契約上で利用可能な基地局とは、例えば、利用者を限定して提供されている宅内用の小型基地局等が存在するので、その利用権限を有している基地局を指している。さらにまた、リスト生成手段２０１は、例えば、小型基地局を優先したり、電波の利用状況を加味したりして、優先順位を決める。このようにして、リスト生成手段２０１は、接続優先順位リストを生成する。
【００４４】
リスト送信手段２０２は、リスト生成手段２０１が生成した接続優先順位リストを、第１の接続を行っている移動端末１００に対して送信する。
【００４５】
図３は、第１実施形態の通信システムの動作を示すフローチャートである。
ステップ（以下、単にＳとする）１０１では、移動端末１００は、基地局に対して第１の接続を行う。このとき接続する接続先は、接続可能であれば、どの基地局であってもよい。ここでは、第１の基地局ＢＳ１に対して第１の接続を行ったこととする。
【００４６】
Ｓ１０２では、第１の接続が行えたか否かを判断する。第１の接続が行えた場合には、Ｓ１０３へ進み、第１の接続が行えなかった場合には、Ｓ１１２に進む。
Ｓ１０３では、移動端末１００は、移動端末１００のＭＡＣアドレスをサーバ２００に送信する。
【００４７】
Ｓ１０４では、リスト生成手段２０１が生成した接続優先順位リストをリスト送信手段２０２が移動端末１００へ送信する。これと同時に、移動端末１００は、サーバ２００から、この接続優先順位リストを受信（ダウンロード）する。
【００４８】
図４は、接続優先順位リストの一例を示す図である。
図４に示した例は、図１に示した状態において、第１の接続が第１の基地局ＢＳ１を介して行われた場合に、リスト生成手段２０１が生成した接続優先順位リストの例を示している。この場合、第１の基地局ＢＳ１の電波が届く範囲内において、移動端末１００が利用可能な基地局としては、第１の基地局ＢＳ１と、第２の基地局ＢＳ２と、第３の基地局ＢＳ３とがある。また、第３の基地局ＢＳ３は、移動端末１００を所有する利用者専用の小型基地局であるので、第３の基地局ＢＳ３を第１優先としている。さらに、電波の利用状況から第２の基地局ＢＳ２を第２優先としている。さらにまた、接続優先順位リストには、各基地局の周波数チャネル番号が含まれている。これにより、接続優先順位リストを受信した移動端末１００は、各基地局が現在使用している周波数チャネルを把握することができる。
【００４９】
図３に戻って、Ｓ１０５では、移動端末１００は、基地局との第１の接続を終了する。
Ｓ１０６では、移動端末１００は、基地局の順番を示すパラメータｉをｉ＝１にセットする。
【００５０】
Ｓ１０７では、移動端末１００は、Ｓ１１０までのループを開始する。
Ｓ１０８では、移動端末１００は、接続優先順位ｉの基地局からの受信電力が一定値以上あるか否かの判断を行う。接続優先順位ｉの基地局からの受信電力が一定値以上ある場合には、Ｓ１１３へ進み、接続優先順位ｉの基地局からの受信電力が一定値以上ない場合には、Ｓ１０９へ進む。
【００５１】
図５は、図１に示した状態において、接続優先順位リストと各基地局からの受信電力との関係の一例を示す図である。
図５に示す例では、受信電力が一定値以上ある基地局は、第１の基地局ＢＳ１と第３の基地局ＢＳ３との２つのみである。この例の場合には、Ｓ１０８では、接続優先順位が１番目の第１の基地局ＢＳ１が受信電力の条件を満たしているので、Ｓ１０９へ進むこととなる。この例で、仮に、第１の基地局ＢＳ１が受信電力の条件を満たしていないとすると、ループが繰り返されて第３の基地局ＢＳ３になったときに、Ｓ１０９へ進むこととなる。このように、受信電力の条件を満たし、かつ、優先順位が高い順に基地局が選択されることとなる。
【００５２】
図３に戻って、Ｓ１０９では、移動端末１００は、ｉ＝ｉ＋１として、ｉを１つ増やして、次の順番の基地局に進める。
Ｓ１１０では、移動端末１００は、ｉ＝ｎ＋１（ｎは、接続優先順位リストに登録されている基地局数）となるまで、Ｓ１０７からのループを繰り返す。ｉ＝ｎ＋１となったら、Ｓ１１１へ進む。
【００５３】
Ｓ１１１では、移動端末１００は、接続優先順位リストに登録されている全ての基地局から圏外であるとして、その旨の表示等を行い、動作を終了する。
Ｓ１１２では、移動端末１００は、全ての基地局から圏外であるとして、その旨の表示等を行い、動作を終了する。
【００５４】
Ｓ１１３では、移動端末１００は、接続優先順位ｉの基地局に第２の接続を要求する。
Ｓ１１４では、移動端末１００は、接続優先順位ｉの基地局と第２の接続を行っている状態となる。利用者は、第２の接続により必要な通信作業等を行い、移動端末１００は、利用者の指示により、第２の接続を終了して、動作を終了する。
【００５５】
以上説明したように、第１実施形態によれば、移動端末１００は、第１の接続によりサーバ２００から接続優先順位リストを取得し、その接続優先順位を優先しながら、受信電力の条件を満たす基地局に対して、第２の接続を行う。また、接続優先順位リストには、各基地局が使用する周波数チャネル番号が含まれている。よって、基地局が周波数チャネルを変更しても、利用者が望む基地局に簡単に接続できる。
【００５６】
（第２実施形態）
第２実施形態は、移動端末１００の動作が異なる他は、第１実施形態と同様な形態である。よって、前述した第１実施形態と同様の機能を果たす部分には、同一の符号を付して、重複する説明を適宜省略する。
第２実施形態では、第１実施形態における接続優先順位リストに代わり、優先順位を含まない基地局リストを用いる。したがって、第２実施形態で引用する第１実施形態中の「接続優先順位リスト」という文言は、第２実施形態においては、「基地局リスト」と読み替えるものとする。
【００５７】
第２実施形態のリスト生成手段２０１は、移動端末１００が第１の接続により送信してきた移動端末１００の識別情報（ＭＡＣアドレス）と、移動端末１００が第１の接続を行っている基地局を識別する基地局識別情報とを用いて、移動端末１００に対する基地局リストを生成する。基地局リストとは、移動端末１００が現在ある位置において、接続に適していると判断される基地局をリストアップした情報である（後述の図７参照）。この基地局リストには、リストに含まれる基地局がその時点で使用している周波数チャネルの番号も併せて含まれている。第２実施形態のリスト生成手段２０１は、作成する基地局リストに優先順位を含んでいない他は、第１実施形態のリスト生成手段２０１と同様である。
【００５８】
第２の接続手段１０２は、サーバ２００から受信した基地局リストに含まれる基地局の中から選択した基地局に対して接続する第２の接続を行う。第２実施形態の第２の接続手段１０２では、基地局リストに含まれる基地局を利用者に対して選択可能に提示し、利用者により選択された基地局に対して第２の接続を行う。
【００５９】
図６は、第２実施形態の通信システムの動作を示すフローチャートである。
Ｓ２０１では、移動端末１００は、基地局に対して第１の接続を行う。このとき接続する接続先は、接続可能であれば、どの基地局であってもよい。ここでは、第１の基地局ＢＳ１に対して第１の接続を行ったこととする。
Ｓ２０２では、第１の接続が行えたか否かを判断する。第１の接続が行えた場合には、Ｓ２０３へ進み、第１の接続が行えなかった場合には、Ｓ２１０に進む。
【００６０】
Ｓ２０３では、移動端末１００は、移動端末１００のＭＡＣアドレスをサーバ２００に送信する。
Ｓ２０４では、リスト生成手段２０１が生成した基地局リスト（例えば、図７）をリスト送信手段２０２が移動端末１００へ送信する。これと同時に、移動端末１００は、サーバ２００から、この基地局リストを受信（ダウンロード）する。
【００６１】
図７は、基地局リストの一例を示す図である。
図７に示した例は、図１に示した状態において、第１の接続が第１の基地局ＢＳ１を介して行われた場合に、リスト生成手段２０１が生成した基地局リストの例を示している。この場合、第１の基地局ＢＳ１の電波が届く範囲内において、移動端末１００が利用可能な基地局としては、第１の基地局ＢＳ１と、第２の基地局ＢＳ２と、第３の基地局ＢＳ３とがある。また、基地局リストには、各基地局の周波数チャネル番号が含まれている。これにより、基地局リストを受信した移動端末１００は、各基地局が現在使用している周波数チャネルを把握することができる。
【００６２】
図６に戻って、Ｓ２０５では、移動端末１００は、受信した基地局リストを不図示の表示部（移動端末１００がパーソナルコンピュータであれば、例えば、液晶ディスプレイ等）に表示する。
Ｓ２０６では、利用者が移動端末１００を操作して、表示された基地局リストに含まれる基地局の中から、接続したい基地局を選択する。例えば、移動端末１００が図１のように家屋内にある場合、図７に示した基地局リストの中から、利用者は、第３の基地局ＢＳ３を選択するとよい。以下、第３の基地局ＢＳ３が選択されたこととする。
【００６３】
Ｓ２０７では、移動端末１００は、基地局との第１の接続を終了する。
Ｓ２０８では、移動端末１００は、Ｓ２０６において選択された基地局（例えば、第３の基地局ＢＳ３）からの受信電力が一定値以上あるか否かの判断を行う。選択された基地局からの受信電力が一定値以上ある場合には、Ｓ２１１へ進み、選択された基地局からの受信電力が一定値以上ない場合には、Ｓ２０９へ進む。
【００６４】
図８は、第２実施形態において、各基地局からの受信電力の一例を示す図である。
図８に示す例では、受信電力が一定値以上ある基地局は、第１の基地局ＢＳ１と第３の基地局ＢＳ３との２つのみである。この例の場合には、Ｓ２０８では、選択された基地局が第３の基地局ＢＳ３であるときには、Ｓ２１１に進む。また、選択された基地局が第２の基地局ＢＳ２であるときには、Ｓ２０９に進む。
【００６５】
図６に戻って、Ｓ２０９では、移動端末１００は、選択された基地局から圏外であるとして、その旨の表示等を行い、動作を終了する。
Ｓ２１０では、移動端末１００は、全ての基地局から圏外であるとして、その旨の表示等を行い、動作を終了する。
【００６６】
Ｓ２１１では、移動端末１００は、Ｓ２０６において選択された基地局（例えば、第３の基地局ＢＳ３）に第２の接続を要求する。
Ｓ２１２では、移動端末１００は、Ｓ２０６において選択された基地局（例えば、第３の基地局ＢＳ３）と第２の接続を行っている状態となる。利用者は、第２の接続により必要な通信作業等を行い、移動端末１００は、利用者の指示により、第２の接続を終了して、動作を終了する。
【００６７】
以上説明したように、第２実施形態によれば、移動端末１００は、第１の接続によりサーバ２００から基地局リストを取得し、これを利用者に提示し、その中に含まれる基地局の中から利用者が選択した基地局に対して、第２の接続を行う。また、基地局リストには、各基地局が使用する周波数チャネル番号が含まれている。よって、基地局が周波数チャネルを変更しても、利用者が望む基地局に簡単に接続できる。
【００６８】
なお、移動端末及びサーバの処理をコンピュータ読み取り可能な記録媒体に記録し、この記録媒体に記録されたプログラムを移動端末及びサーバに読み込ませ、実行することによって本発明の移動端末及びサーバ、通信接続方法を実現することができる。ここでいうコンピュータシステムとは、ＯＳや周辺装置等のハードウェアを含む。
【００６９】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００７０】
また、上記プログラムは、前述した機能の一部を実現するためのものであってもよい。さらに、前述した機能をコンピュータシステムにすでに記録されているプログラムとの組み合せで実現できるもの、いわゆる差分ファイル（差分プログラム）であってもよい。
【００７１】
以上、この発明の実施形態につき、図面を参照して詳述してきたが、具体的な構成はこの実施形態に限られるものではなく、この発明の要旨を逸脱しない範囲の設計等も含まれる。
【００７２】
（変形形態）
（１）各実施形態において、リスト生成手段２０１は、移動端末１００から第１の通信が行われる度に、最初から接続優先順位リスト又は基地局リストを生成する例を挙げて説明した。これに限らず、例えば、各種条件毎に複数の接続優先順位リスト又は基地局リストを予め用意しておき、その中から選択することにより接続優先順位リスト又は基地局リストを生成してもよい。
【００７３】
（２）第２実施形態において、基地局リストとして、接続の優先順位を含まない例を挙げて説明した。これに限らず、例えば、基地局リスト接続の優先順位を含むようにしてもよい。この場合、例えば、移動端末１００側において選択切り替えを行うことにより、第１実施形態のような動作を行ったり、第２実施形態のように動作を行ったりさせることができる。
【００７４】
各実施形態及び変形形態は、適宜組み合わせて用いることもできるが、詳細な説明は省略する。
【符号の説明】
【００７５】
ＢＳ１    第１の基地局
ＢＳ１ａ  周波数チャネル通知手段
ＢＳ２    第２の基地局
ＢＳ２ａ  周波数チャネル通知手段
ＢＳ３    第３の基地局
ＢＳ３ａ  周波数チャネル通知手段
ＢＳ４    第４の基地局
ＢＳ４ａ  周波数チャネル通知手段
ＢＳ５    第５の基地局
ＢＳ５ａ  周波数チャネル通知手段
１００    移動端末
１０１    第１の接続手段
１０２    第２の接続手段
２００    サーバ
２０１    リスト生成手段
２０２    リスト送信手段
【図１】
2011151697.tif 000003
【図２】
2011151697.tif 000004
【図３】
2011151697.tif 000005
【図４】
2011151697.tif 000006
【図５】
2011151697.tif 000007
【図６】
2011151697.tif 000008
【図７】
2011151697.tif 000009
【図８】
2011151697.tif 000010